(57)【要約】【課題】テキスト作成者の所望する部分を他の部分と区別したテキストを表示する。【解決手段】携帯端末は、テキストの入力と、入力されたテキストの一部の書式を受付けるを受付けるテキストデータ入力部２と、受付けられたテキストデータと書式データとを対にして送信するデータ送受信部５とを備える。テキストデータを受信した携帯端末では、書式データで特定されるテキストの一部が他の部分と別の書式で出力される。そのため、テキスト作成者の所望する部分を他の部分と区別してテキストが表示される。【選択図】        図１
2004215024.tif 000002
【特許請求の範囲】
【請求項１】
テキストの入力を受付けるテキスト受付手段と、
前記入力されたテキストの一部の書式を受付ける書式受付手段と、
前記受付けられたテキストデータと前記書式データとを対にして送信する送信手段とを備えた、携帯端末。
【請求項２】
テキストデータを受信する受信手段と、
前記受信されたテキストデータの一部の書式を示す書式データが受信されたことを条件として、前記書式データにしたがって、受信されたテキストを表示する表示手段とを備えた、携帯端末。
【請求項３】
前記書式データは、前記テキストデータに含まれる所定のテキストの位置とその位置のテキストの表示態様とを定義する、請求項１または２に記載の携帯端末。
【請求項４】
前記表示態様は、文字サイズ、文字フォント、文字スタイル、または色の中から選ばれた少なくとも１つの群からなる、請求項３に記載の携帯端末。
【発明の詳細な説明】
【０００１】
【発明の属する技術分野】
この発明は、携帯端末に関し、特に、テキストデータを送受信する、いわゆる電子メール機能を備えた携帯端末に関する。
【０００２】
【従来の技術】
今日、電子メール機能を備えた携帯電話等の携帯端末が流通している。この種の携帯端末では、テキストで作成された文章が電子メールとして送受信される。電子メールで送受信されるデータは、テキストデータに限られるため、電子メールを受信した側の携帯端末では、テキストだけが表示される。このため、文全体の表示としては、全ての文字（テキスト）が同じサイズ、同じフォント、同じスタイル、同じ色で表示される。
【０００３】
電子メールで受信したテキストを加工して表示する携帯端末が、特開２００２―５５８０４号公報（特許文献１）に記載されている。特許文献１には、ネットワークから受信したテキストデータの中に含まれる所定のテキストを削除して表示する携帯端末が記載されている。より具体的には、携帯端末の表示画面で表示可能な文字数を超える文章が含まれている場合に、その表示可能な文字数を超えるデータを全て削除して表示する。また、２個を超える改行が連続する場合に、３個目以降の改行を削除して表示する。さらに、改行に続いて空白が存在する場合には、その空白を削除して表示するものである。
【０００４】
【特許文献１】
特開２００２―５５８０４号公報
【０００５】
【発明が解決しようとする課題】
しかしながら、従来の携帯端末では、全ての文字（テキスト）が同じ書体、同じサイズ、色で表示されるため、固有名詞等の所定の文字が他の文字と区別して表示されないために、読みづらいという問題があった。
【０００６】
また、所定の文字を組合わせたいわゆる絵文字を用いて、その絵文字に特定の意味をもたせて作成されるテキストもあるが、そのテキストを受信した携帯端末のユーザが絵文字の意味を理解できない場合には、使用することができない。このため、絵文字はビジネス的な文章には使用することができない。
【０００７】
さらに、特許文献１に記載の携帯端末では、表示画面に合わせて表示できるけれども、特定のテキストを強調することはできない。
【０００８】
この発明は上述の問題点を解決するためになされたもので、この発明の目的の１つは、テキスト作成者の所望する部分を他の部分と区別したテキストを送受信可能な携帯端末を提供することを目的とする。
【０００９】
【課題を解決するための手段】
上述の目的を達成するためにこの発明のある局面によれば、携帯端末は、テキストの入力を受付けるテキスト受付手段と、入力されたテキストの一部の書式を受付ける書式受付手段と、受付けられたテキストデータと書式データとを対にして送信する送信手段とを備える。
【００１０】
この発明に従えば、受付けられたテキストデータとそのテキストの一部の書式を示す書式データとが対に送信されるので、テキストデータを受信した装置では、書式データで特定されるテキストの一部を他の部分と別の書式で出力することができる。そのため、テキスト作成者の所望する部分を他の部分と区別したテキストを送信可能な携帯端末を提供することができる。
【００１１】
この発明の他の局面によれば、携帯端末は、テキストデータを受信する受信手段と、受信されたテキストデータの一部の書式を示す書式データが受信されたことを条件として、書式データにしたがって、受信されたテキストを表示する表示手段とを備える。
【００１２】
この発明に従えば、受信されたテキストデータの一部の書式を示す書式データが受信されたことを条件として、書式データにしたがって、受信されたテキストが表示される。このため、書式データで特定されるテキストの一部を他の部分と別の書式で出力することができる。そのため、テキスト作成者の所望する部分を他の部分と区別してテキストを表示可能な携帯端末を提供することができる。
【００１３】
好ましくは、書式データは、テキストデータに含まれる所定のテキストの位置とその位置のテキストの表示態様とを定義する。
【００１４】
この発明に従えば、書式データから、テキストデータに含まれる所定のテキストの位置とその位置のテキストの表示態様とを判断することができる。
【００１５】
好ましくは、表示態様は、文字サイズ、文字フォント、文字スタイル、または色の中から選ばれた少なくとも１つの群からなる。
【００１６】
この発明に従えば、テキストデータに含まれる所定のテキストの文字サイズ、文字フォント、文字スタイル、または色を他のテキストと異ならせて表示することができる。
【００１７】
【発明の実施の形態】
以下、本発明の実施の形態について図面を参照して説明する。以下の説明では同一の部品および構成要素には同一の符号を付してある。それらの名称および機能も同じである。したがってそれらについての詳細な説明は繰返さない。
【００１８】
図１は、本発明の実施の形態の１つに係る携帯端末の機能を示す機能ブロック図である。図１を参照して、テキストデータの送信側の携帯端末１と、受信側の携帯端末７とが示されている。なお、図では、説明のため携帯端末１が送信側となった場合の機能と、携帯端末７が受信側となった場合の機能のみを示しているが、実際には両携帯端末１、７は同じ機能を有する。以下の説明でも特に断わらない限り、携帯端末１を送信側とし、携帯端末７を受信側の携帯端末として説明する。
【００１９】
図１を参照して、携帯端末１と携帯端末７とは、通信網６を介して接続されている。通信網６は、ローカルエリアネットワーク（ＬＡＮ）、インターネット等のワイドエリアネットワーク（ＷＡＮ）、ＰＳＴＮ（Ｐｕｂｌｉｃ  Ｓｗｉｔｃｈｅｄ  Ｔｅｌｅｐｈｏｎｅ  Ｎｅｔｗｏｒｋ）またはＩＳＤＮ（ｉｎｔｅｇｒａｔｅｄ  ｓｅｒｖｉｃｅｓ  ｄｉｇｉｔａｌ  ｎｅｔｗｏｒｋ）などの通信網、携帯電話に用いられる無線通信網などであり、有線であっても無線であってもよいし、無線の場合には電磁波を用いた通信、赤外線を用いた通信であってもよい。
【００２０】
携帯端末１，７は、上述した通信網を用いて通信する機能を有する携帯型のコンピュータである。携帯端末１，７は、いわゆる携帯電話そのものであっても良く、また、ノート型またはパーム型のコンピュータに携帯電話を接続した装置であってもよい。以下、携帯端末１，７を、携帯電話として説明する。
【００２１】
携帯端末１、７は、テキストデータを入力するためのテキストデータ入力部２と、テキストデータを表示するための表示部３と、テキストデータ加工・処理部４と、テキストデータを送信または受信するためのデータ送受信部５とを含む。
【００２２】
表示部３は、液晶表示装置、陰極線管、エレクトロルミネッセンス、プラズマディスプレイパネルなどである。表示部３は、テキストデータ加工・処理部４により制御され、テキストデータを表示する。
【００２３】
テキストデータ入力部２は、電話番号などを入力するために備えられたボタンスイッチである。各ボタンには、テキストを入力するための文字が少なくとも１つ割当てられており、ボタンを押した回数に応じて文字が入力される。たとえば、数次の「１」が割当てられたボタンには、「あ行の文字」が割当てられており、１回の押下で「あ」の文字、２回の押下で「い」の文字、３回の押下で「う」の文字、４回の押下で「え」の文字、５回の押下で「お」の文字がそれぞれ入力される。他のボタンにも同様に、「か行の文字」、「さ行の文字」・・・がそれぞれ割当てられ、五十音の全ての文字の入力が可能となっている。また、五十音が割当てられていないボタンには、濁音、小文字、記号などが割当てられ、それらをテキストとして入力することが可能である。テキストデータ入力部２で入力されたテキストデータは、テキストデータ加工・処理部４に出力され、表示部３に表示される。
【００２４】
また、テキストデータ入力部２は、入力したテキストデータに対応する書式を入力するためにも用いられる。この書式を入力するために、上述した文字が各ボタンに割当てられるのと同様に、書式がボタンに割当てられる。書式とは、文字のフォント、スタイル、サイズ、色を含む。
【００２５】
さらに、テキストデータ入力部２は、テキストデータの位置を指定するための位置指定ボタン（カーソルボタン）を含む。位置指定ボタンは、上下左右の４方向を指示するボタンスイッチであり、４つのボタンスイッチを用いても良いし、１つのスティックの４方向への傾きを検出するスイッチであってもよい。この位置指定ボタンを操作すると、表示部３に表示されているカーソルが表示部３の画面中で位置指定ボタンの操作方向に応じて上下左右方向に移動する。そして、カーソルの示す位置で、テキストの文字が指定される。
【００２６】
位置指定ボタンと書式ボタンとの操作を組合わせることにより、書式データが入力される。書式データとは、テキスト中の文字の位置と、その位置における文字に付された書式とを含む。すなわち、位置指定ボタンの操作により、テキストデータ中の文字の位置が指定され、書式ボタンの操作により指定されている文字に付される書式が指定される。より具体的には、表示部３にテキストが表示されている状態で、位置指定ボタンを操作して書式を付したい文字にカーソルを移動させ、書式ボタンを押下する。これにより、カーソルで指定される文字の位置と、書式ボタンで指定された書式とからなる書式データが入力される。
【００２７】
書式データの入力は、上述した方法に限定されることはなく、表示部３に表示されたテキスト中の文字の位置と書式とを入力するものであれば、他のいかなる方法を用いてもよい。
【００２８】
データ送受信部５は、通信網６と接続され、携帯端末１，７間でのテキストデータの送受信を可能とする。この携帯端末１，７間の通信プロトコルは、いわゆる電子メールを送受信するためのプロトコルが用いられる。
【００２９】
テキストデータ加工・処理部４は、テキストデータ作成時に、テキストデータ入力部２からテキストデータが入力され、テキストを表示部３に表示する。テキストデータは、コンピュータが文字を理解するためのコードである。テキストとは、このコードを人が認識可能な文字に変換したものをいう。テキストデータ加工・処理部４は、コードから変換した文字を表示部３に表示する。
【００３０】
また、テキストデータ加工・処理部４は、テキストデータ作成時に、テキストデータ入力部２から書式データが入力され、書式データに従った書式で表示部３に表示されているテキストを表示する。上述したように、書式データは、テキスト中の文字の位置と、書式とを含むものであった。たとえば、書式データが、テキスト中の文字の位置として「３文字目から５文字目」、書式として「赤色」の場合、テキストの３文字目、４文字目、５文字目の文字を赤色で表示する。
【００３１】
このように、テキストデータと書式データとは対をなすデータである。また、この対応関係は、１つのテキストデータに対して１つの書式データが対をなす場合に限られず、１つのテキストデータに対して複数の書式データが対をなす場合もある。たとえば、テキスト中の文字の位置が「すべての文字」で書式が「赤色」の書式データと、テキスト中の文字の位置が「すべての文字」で書式が「青色」の書式データとを１つのテキストデータに対応させることができる。
【００３２】
テキストデータと書式データとは、携帯端末１，７のランダムアクセスメモリ（ＲＡＭ）等の記憶装置に対応付けて記憶される。
【００３３】
テキストデータ加工・処理部４は、後述するデータ送受信部５からテキストデータが入力されたときは、そのテキストを表示部３に表示する。また、そのテキストデータと対をなす書式データがデータ送受信部５から入力されたときは、その書式データに従った書式で、テキストを表示部３に表示する。
【００３４】
データ送受信部５は、テキストデータ加工・処理部４からテキストデータと書式データとが入力されると、それらを対にして他の通信端末に送信する。ここでは、電子メールでテキストデータを送信するので、書式データをテキストデータと対にする方法としては、添付ファイルとして送信することが考えられる。また、添付ファイルとするのではなく、書式データをテキストデータに含めて送信するようにしてもよい。この場合には、テキストデータを受信した携帯端末で、書式データがテキストデータのどの部分に該当するかを識別できるように、所定の印を付すのが好ましい。
【００３５】
データ送受信部５は、他の携帯端末から受信したテキストデータと書式データとを、テキストデータ加工・処理部４に出力する。また、携帯端末が備える記憶装置に一時的に記憶する。
【００３６】
上述した携帯端末１は、ユーザが、テキストデータ入力部２を用いてテキストと書式とを入力すると、テキストデータと書式データとが対とされる。そして、ユーザからの指示により、テキストデータと書式データとが携帯端末７に送信される。携帯端末１から携帯端末７へのテキストデータの送信処理は、従来周知のいわゆる電子メールを送受信するプロトコルが用いられる。ここでは、その詳細な説明は繰返さない。
【００３７】
携帯端末７では、テキストデータと書式データとがデータ送受信部５で受信されると、テキストデータ加工・処理部４により、書式データに従ってテキストが表示部３に表示される。
【００３８】
図２は、各携帯端末１，７で実行される処理の流れを示すフローチャートである。図２（Ａ）は送信側の携帯端末１で実行される処理を示し、図２（Ｂ）は受信側の携帯端末７で実行される処理を示す。
【００３９】
図２（Ａ）を参照して、ユーザがテキストすると、その入力がテキストデータ入力部２で受け付けられる（ステップＳ１）。これに従い、テキストデータ加工・処理部４により、入力されたテキストが表示部３に表示される。ユーザは、表示されたテキストを見ながら、テキストデータ入力部２の位置指定ボタンおよび書式ボタンを操作して、所望の文字を指定して書式の入力が可能となる。
【００４０】
ステップＳ２では、書式の入力が受付けられたか否かが判定される。書式の入力が受け付けられた場合にはステップＳ３に進み、そうでない場合にはステップＳ４に進む。
【００４１】
ステップＳ３では、入力された書式に従って書式データを作成し、ステップＳ１で入力されたテキストデータと対応付けて記憶する。
【００４２】
そして、送信指示の受け付けに応じて、テキストデータを本文とし、それに対応する書式データを添付データとした電子メールを、携帯端末７に送信する（ステップＳ４）。
【００４３】
なお、ここでは、テキストデータに対応する書式入力して送信する場合を示したが、予め書式データを複数準備して記憶装置に記憶しておいてもよい。この場合には、テキストデータの送信指示の際に、予め記憶されている複数の書式データの中から対応する書式データが指定されて、テキストデータとともに送信される。このようにすることで、同じテキストデータを書式を異ならせて送信することができるので、送信先に応じて同じ内容の文章を書式を異ならせて送信することができる。
【００４４】
図２（Ｂ）を参照して、携帯端末７では、携帯端末１よりテキストデータを受信すると（ステップＳ５）、書式データが受信されたか否かが判断される（ステップＳ６）。本実施の形態においては、電子メールでテキストデータおよび書式データを送信するようにしたので、本文のテキストデータに書式データが添付ファイルとして添付されているか否かにより判断される。書式データが受信された場合にはステップＳ７に進み、受信されない場合にはステップＳ７をスキップしてステップＳ８に進む。
【００４５】
そして、テキストデータ加工・処理部４により、受信した書式に従ってテキストが作成され（ステップＳ７）、作成されたテキストが表示部３に表示される（ステップＳ８）。
【００４６】
図３は、本実施の形態における携帯端末１で作成されるテキストの表示画面の一例を示す図である。図３（Ａ）〜図３（Ｄ）では、説明のためすべて同じテキストデータとしている。すなわち、１行目を「おはよう。」の５文字からなるデータとし、２行目を「今日も元気？」の６文字からなるデータとし、３行目を「それでは。」の５文字からなるデータとしている。また、この例では、書式は、行ごとに設定される。このため、書式データの位置データは、行番号で表される。
【００４７】
図３（Ａ）は、書式に文字サイズが指定された例を示す。図３（Ａ）を参照して、書式は、文字サイズが、１行目が１６ポイント、２行目が１２ポイント、３行目が１０ポイントとされている。表示画面では、この書式に従ってテキストが表示される。１行目の文字が１６ポイントの大きさで表示され、２行目の文字が１２ポイントの大きさで表示され、３行目の文字が１０ポイントの大きさで表示されている。
【００４８】
図３（Ｂ）は、書式に文字フォントが指定された例を示す。図３（Ｂ）を参照して、文字フォントが、１行目が明朝体、２行目がゴシック体、３行目が楷書体とされている。表示画面では、１行目の文字が明朝体で表示され、２行目の文字がゴシック体で表示され、３行目の文字が楷書体で表示されている。
【００４９】
図３（Ｃ）は、書式に文字スタイルが指定された例を示す。図３（Ｃ）を参照して、文字スタイルが、１行目が斜体、２行目が太字、３行目が標準の文字スタイルとなっている。表示画面では、１行目の文字が斜体で表示され、２行目の文字が太字で表示され、３行目の文字が標準のスタイルで表示されている。
【００５０】
図３（Ｄ）は、書式に色が指定された例を示す。図３（Ｄ）では、色が、１行目が赤色、２行目が青色、３行目が黄色で表示される。この図面では、色を表現することはできないが、実際の表示画面では、１行目の文字が赤色で表示され、２行目の文字が青で表示され、３行目の文字が黄色で表示される。
【００５１】
なお、ここでは、書式が、文字サイズ、文字フォント、文字スタイル、色それぞれを異ならせる例を示したが、これらを相互に組合わせることも可能である。
【００５２】
以上本発明によれば、作成するテキストの特定の部分の文字フォント、サイズ、スタイル、色などを他の部分と異ならせたテキストを作成することがきる。また、そのようにして作成されたテキストの特定の部分の文字フォント、サイズ、スタイル、色などを他の部分と異ならせて表示することができる。このため、文章中でどの部分が重要なのか、伝えたい部分はどこか、また、固有名詞の強調、各種文字の強調を可能にする。そのため、携帯端末１のユーザが所望する部分を強調したテキストを送信することができる。
【００５３】
また、そのようなテキストを受信した携帯端末７においては、文章の作成者の意志で強調された部分が、他の部分とは異なる書式で表示されるので快適に文章を読むことができる。また、携帯端末７には、文章の作成者（携帯端末１のユーザ）が定めた書式で表示されるので、文章の作成者の意志を伝え易くなる。
【００５４】
なお、本実施の形態においては、携帯端末を例に説明したが、その携帯端末で実行されるテキスト編集方法およびテキスト編集プログラムとしても発明を捉えることができる。
【００５５】
（１）  すなわち、テキスト編集方法は、
テキストの入力を受付けるステップと、
前記入力されたテキストの一部の書式を受付けるステップと、
前記受付けられたテキストデータと前記書式データとを対にして送信するステップとを含む。
【００５６】
（２）  また、テキスト編集方法は、テキストデータを受信するステップと、前記受信されたテキストデータの一部の書式を示す書式データが受信されたことを条件として、前記書式データにしたがって、受信されたテキストを表示するステップとを含む。
【００５７】
（３）  好ましくは、テキスト編集方法において、前記書式データは、前記テキストデータに含まれる所定のテキストの位置とその位置のテキストの表示態様とを定義する。
【００５８】
（４）  好ましくは、テキスト編集方法において、前記表示態様は、文字サイズ、文字フォント、文字スタイル、または色の中から選ばれた少なくとも１つの群からなる。
【００５９】
（５）  さらに、テキスト編集プログラムは、
テキストの入力を受付けるステップと、
前記入力されたテキストの一部の書式を受付けるステップと、
前記受付けられたテキストデータと前記書式データとを対にして送信するステップとをコンピュータに実行させる。
【００６０】
（６）  また、テキスト編集プログラムは、テキストデータを受信するステップと、
前記受信されたテキストデータの一部の書式を示す書式データが受信されたことを条件として、前記書式データにしたがって、受信されたテキストを表示するステップとを含む。
【００６１】
（７）  好ましくは、テキスト編集プログラムにおいて、前記書式データは、前記テキストデータに含まれる所定のテキストの位置とその位置のテキストの表示態様とを定義する。
【００６２】
（８）  好ましくは、テキスト編集プログラムにおいて、前記表示態様は、文字サイズ、文字フォント、文字スタイル、または色の中から選ばれた少なくとも１つの群からなる。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態の１つに係る携帯端末の機能を示す機能ブロック図である。
【図２】本実施の形態における携帯端末で実行される処理の流れを示すフローチャートである。
【図３】本実施の形態における携帯端末で作成されるテキストの表示画面の一例を示す図である。
【符号の説明】
１，７  携帯端末、２  テキストデータ入力部、３  表示部、４  テキストデータ加工・処理部、５  データ送受信部、６  通信網。
【図１】
2004215024.tif 000003
【図２】
2004215024.tif 000004
【図３】
2004215024.tif 000005